(57)【要約】【課題】太さを異にする複数種の電線に対して適正な保持力で接続される端子金具を提供する。【解決手段】端子金具１０は、電線６０の端末部を支持する支持部１１と、支持部１１の両側縁から突出し、電線６０の端末部における被覆６２に巻き付いて圧着される複数のバレル片１８とを備える。複数のバレル片１８は、支持部１１の両側縁のうちの一方の側縁から小さい突出量で突出する短片２１と、この短片２１と並列に配置され、一方の側縁から大きい突出量で突出する長片２２とを有している。【選択図】図１
2012134096.tif 000002
【特許請求の範囲】
【請求項１】
導電性の金属板で形成され、
電線の端末部を支持する支持部と、前記支持部の両側縁から突出し、前記電線の端末部における被覆に巻き付いて圧着される複数のバレル片とを備えた端子金具であって、
前記複数のバレル片は、前記支持部の両側縁のうちの一方の側縁から小さい突出量で突出する短片と、この短片と並列に配置され、前記一方の側縁から大きい突出量で突出する長片とを有していることを特徴とする端子金具。
【請求項２】
前記複数のバレル片は、前記支持部の両側縁のうちの他方の側縁から突出し、前記被覆に巻き付いた状態で、前記短片と前記長片との間に配置される突片を有していることを特徴とする請求項１記載の端子金具。
【請求項３】
前記長片が、前記支持部の端部に形成されていることを特徴とする請求項２記載の端子金具。
【発明の詳細な説明】
【技術分野】
【０００１】
本発明は、端子金具に関する。
【背景技術】
【０００２】
特許文献１には、従来の端子金具が開示されている。これは、導電性の金属板を曲げ加工等して一体に成形され、電線の端末部を支持する支持部と、支持部の両側縁から突出する複数のバレル片とを備えている。各バレル片は、電線の端末部における被覆に巻き付いて圧着され、電線の芯線寄りとなる前側に位置する一対の前側バレル片と、支持部の端部寄りとなる後側に位置する一対の後側バレル片とからなる。支持部を挟んで対向するバレル片の先端同士は、被覆に巻き付いた状態で互いにラップしている。
【先行技術文献】
【特許文献】
【０００３】
【特許文献１】特開２００９−１５２１１１号公報
【発明の概要】
【発明が解決しようとする課題】
【０００４】
ところで、上記従来の端子金具が太さを異にする複数種の電線に対応する場合、電線の被覆の直径が太くなると、被覆におけるバレル片の圧着代が減少することになる。一方、電線の被覆の直径が細くなると、バレル片のラップ量が増加することで、バレル片の巻き付き形態が歪になり、上記同様、バレル片の圧着代が減少することがある。このため、端子金具の保持力が弱くなり、電線が端子金具から外れるおそれもある。
【０００５】
本発明は上記のような事情に基づいて完成されたものであって、太さを異にする複数種の電線に対して適正な保持力で接続される端子金具を提供することを目的とする。
【課題を解決するための手段】
【０００６】
上記の目的を達成するための手段として、請求項１の発明は、導電性の金属板で形成され、電線の端末部を支持する支持部と、前記支持部の両側縁から突出し、前記電線の端末部における被覆に巻き付いて圧着される複数のバレル片とを備えた端子金具であって、前記複数のバレル片は、前記支持部の両側縁のうちの一方の側縁から小さい突出量で突出する短片と、この短片と並列に配置され、前記一方の側縁から大きい突出量で突出する長片とを有しているところに特徴を有する。
【０００７】
請求項２の発明は、請求項１に記載のものにおいて、前記複数のバレル片は、前記支持部の両側縁のうちの他方の側縁から突出し、前記被覆に巻き付いた状態で、前記短片と前記長片との間に配置される突片を有しているところに特徴を有する。
【０００８】
請求項３の発明は、請求項２に記載のものにおいて、前記長片が、前記支持部の端部に形成されているところに特徴を有する。
【発明の効果】
【０００９】
＜請求項１の発明＞
電線の被覆の直径が太い場合には、長片が電線の被覆に適正な圧着代で圧着される。また、電線の被覆の直径が細い場合には、短片が電線の被覆に適正な圧着代で圧着される。したがって、本実施形態によれば、太さを異にする複数種の電線に対して適正な保持力で接続される端子金具が提供される。
【００１０】
＜請求項２の発明＞
各バレル片が電線の被覆に巻き付いた状態で、短片と長片との間に突片が配置されるため、短片、長片、及び突片が互いにラップするのが回避される。その結果、電線の太さが変更されても、各バレル片のラップ量を考慮しなくて済み、安定した保持力を得ることができる。
【００１１】
＜請求項３の発明＞
長片が支持部の端部に形成されているため、長片の突出量が大きくても、長片と支持部の他方の側縁との干渉を回避し易い。
【図面の簡単な説明】
【００１２】
【図１】本発明の実施形態１に係る端子金具の要部拡大平面図である。
【図２】端子金具の右側面図である。
【図３】端子金具の左側面図である。
【図４】端子金具の展開図である。
【発明を実施するための形態】
【００１３】
＜実施形態１＞
本発明の実施形態１を図１ないし図４によって説明する。実施形態１に係る端子金具１０は、導電性の金属板を図４に示す展開形状に打ち抜いた後、曲げ加工等して一体に形成され、全体として前後方向に細長い形状をなしている。
【００１４】
端子金具１０の底部は、電線６０を支持する支持部１１とされている。支持部１１は端子金具１０の全長に亘って形成されている。端子金具１０の前端部には、端子本体１２が形成され、端子金具１０の後端部には、インシュレーションバレル部１３が形成され、端子金具１０の中間部、つまりインシュレーションバレル部１３と端子本体１２との間には、ワイヤバレル部１４が形成されている。ワイヤバレル部１４及びインシュレーションバレル部１３側の支持部１１は、図２及び図３に示すように、端子本体１２側の支持部１１より一段低い位置に配置されている。
【００１５】
端子本体１２は、ほぼ角筒状、詳しくは四角筒状をなし、展開形状において支持部１１の両側縁（前後方向と直交する幅方向の両側縁）から幅方向に突出する部分を複数回折り曲げることによって形成される。端子本体１２の支持部１１には、ほぼ矩形状のランス孔１５が開口して形成されている。ランス孔１５には、図示しないコネクタハウジングのランスが弾性的に嵌合される。支持部１１のランス孔１５にランスが嵌合されることにより、端子金具１０がコネクタハウジング内に抜け止めされるようになっている。
【００１６】
また、端子本体１２の内部には、弾性接触片１６が配置されている。弾性接触片１６は、展開形状において端子本体１２の前端から前方へ突出する部分を後方へ山型に折り返してなり、その頂部に図示しない接点部が形成されている。コネクタ嵌合に伴い、端子本体１２には図示しない相手端子金具の雄タブが挿入され、挿入された雄タブが弾性接触片１６の接点部と弾性的に接触して、両端子金具が電気的に接続されるようになっている。
【００１７】
ワイヤバレル部１４は、支持部１１の両側縁から突出する一対のワイヤバレル片１７を有している。両ワイヤバレル片１７は、前後方向に細長い板状をなし、電線６０の端末部において露出された芯線６１に幅方向から巻き付いて圧着される。この場合、両ワイヤバレル片１７の先端は、芯線６１の幅方向ほぼ中央部で互いに突き合うようにして配置される。
【００１８】
インシュレーションバレル部１３は、支持部１１の両側縁から突出する複数のバレル片１８を有している。各バレル片１８は、電線６０の端末部における被覆６２に幅方向から巻き付いて圧着される。
【００１９】
具体的には各バレル片１８は、支持部１１の両側縁のうちの一方の側縁（以下、第１側縁１９という）から比較的小さい突出量で突出する短片２１と、短片２１の後方に並列に配置され、第１側縁１９から比較的大きい突出量で突出する長片２２とを有している。長片２２は、支持部１１の後端部に形成され、端子金具１０全体の中で最後尾に位置している。
【００２０】
短片２１は、長片２２より第１側縁１９からの突出量が小さくされ、かつ長片２２より前後方向の長さ寸法（前後長）が大きくされている。また、短片２１は、ワイヤバレル片１７より第１側縁１９からの突出量が大きくされている。
【００２１】
長片２２は、展開形状において短片２１より幅方向外方に突出端を有し、その突出端に向けて次第に前後長を狭める形態とされている。長片２２の後端は、周方向に沿って切り欠かれた形態とされている。短片２１と長片２２との間には、展開形状においてほぼＶ字形ないしほぼＵ字形の溝部２３が形成されている。溝部２３は、支持部１１の第１側縁１９を大きく切り欠いてなり、支持部１１の内方にその底部が位置している。
【００２２】
また、各バレル片１８は、支持部１１の両側縁のうちの他方の側縁（以下、第２側縁２０という）から突出する突片２４を有している。突片２４の第２側縁２０からの突出量は、短片２１の第１側縁１９からの突出量より大きく、長片２２の第１側縁１９からの突出量より小さくされている。そして、突片２４は、その突出端に向けて次第に前後長を狭める形態とされている。突片２４の根元部の前後寸法は、短片２１及び長片２２の各根元部の前後寸法より大きくされている。また、突片２４の後縁は、支持部１１の幅方向ほぼ中央部にかけてテーパ状に切り欠かれている。
【００２３】
突片２４は、前後方向に関して短片２１と長片２２との間に配置され、言い換えれば、溝部２３と幅方向で対向する位置に配置され、被覆６２に巻き付いた状態では、溝部２３内に嵌合されるようになっている。つまり、突片２４は、溝部２３の内縁に沿って嵌合可能な外縁形状を有している。
【００２４】
次に、本実施形態の端子金具１０の作用効果を説明する。
ワイヤバレル部１４の両ワイヤバレル片１７が電線６０の端末部で露出する芯線６１にかしめ圧着され、インシュレーションバレル部１３の各バレル片１８が電線６０の端末部における被覆６２にかしめ圧着される。図示する場合、短片２１は被覆６２の周方向における四分の一周以上でかつ半周以下の領域に巻き付き、長片２２及び突片２４はそれぞれ被覆６２の周方向における半周以上の領域に巻き付くようになっている。また、短片２１と第２側縁２０との間、短片２１と突片２４との間、及び突片２４と長片２２との間には、所定の溝幅を有する蛇行溝２９が形成されるようになっている。そして、長片２２の前縁は突片２４の後縁に沿って配置され、長片２２は突片２４の後方領域に逃される。
【００２５】
ところで、電線６０の被覆６２の直径が大きい場合には、その電線６０の被覆６２に長片２２が適正長さで巻き付くことにより、長片２２と突片２４とで適切な巻き状態が確保され、端子金具１０が電線６０に所定の保持力で接続されることになる。一方、電線６０の被覆６２の直径が小さい場合には、その電線６０の被覆６２に短片２１が適正長さで巻き付くことにより、短片２１と突片２４とで適切な巻き状態が確保され、端子金具１０が電線６０に所定の保持力で接続されることになる。
【００２６】
このように、本実施形態によれば、電線６０の被覆６２の直径が太い場合には、長片２２が電線６０の被覆６２に適正な圧着代で圧着され、電線６０の被覆６２の直径が細い場合には、短片２１が電線６０の被覆６２に適正な圧着代で圧着されるため、端子金具１０が太線、細線のいずれにも適正な保持力で接続される。その結果、端子金具１０による接続信頼性が向上する。
【００２７】
また、各バレル片１８が電線６０の被覆６２に巻き付いた状態で、短片２１と長片２２との間に突片２４が配置されるため、短片２１、長片２２、及び突片２４が互いにラップすることがない。その結果、電線６０の太さが変更されても、各バレル片１８のラップ量を考慮しなくて済み、端子金具１０による安定した保持力を得ることができる。
【００２８】
さらに、長片２２が支持部１１の後端部に形成されているため、長片２２の突出量が大きくなっても、長片２２と支持部１１の第２側縁２０との干渉を回避し易くなる。
【００２９】
＜他の実施形態＞
本発明は上記記述及び図面によって説明した実施形態に限定されるものではなく、例えば次のような実施形態も本発明の技術的範囲に含まれる。
（１）支持部の第１側縁に、短片及び長片以外のバレル片が形成されていてもよい。
（２）支持部の第２側縁に、突片以外のバレル片が形成されていてもよい。
（３）各バレルの前後寸法は任意である。
（４）本発明は、前方に雄タブを突成させた雄端子金具にも適用可能である。
【符号の説明】
【００３０】
１０…端子金具
１８…バレル片
２１…短片
２２…長片
２４…突片
６０…電線
６２…被覆
【図１】
2012134096.tif 000003
【図２】
2012134096.tif 000004
【図３】
2012134096.tif 000005
【図４】
2012134096.tif 000006